(57)【要約】【課題】蓄熱剤等の袋体が着脱自在で、丸洗いができ、経済的で、重量調整が可能な敷パットを提供する。【解決手段】布地製パット本体１１と、パット本体１１の一方の面にマトリックス状に複数配設され、両サイドが開いた矩形状の第１ポケット１２と、第１ポケット１２の内側であってパット本体１１の一方の面に２個ずつ設けられた矩形状の第２ポケット１４とを備え、第２ポケット１４は、該第２ポケット１４の開口部１５が互いに向き合うように、第１ポケット１２の両サイドの位置に配設されており、第１ポケット１２の開口部１３を介して、第１ポケット１２と略同形同大の袋体３１を、該袋体３１の両サイドを第２ポケット１４に挟み込むことにより、パット本体１１に着脱可能にする。【選択図】図１
2010207325.tif 000002
【特許請求の範囲】
【請求項１】
布地製パット本体と、
前記パット本体の一方の面にマトリックス状に複数配設され、両サイドが開いた矩形状の第１ポケットと、
前記第１ポケットの内側であって前記パット本体の一方の面に２個ずつ設けられた矩形状の第２ポケットとを備え、
前記第２ポケットは、該第２ポケットの開口部が互いに向き合うように、前記第１ポケットの両サイドの位置に配設されており、
前記第１ポケットの開口部を介して、前記第１ポケットと略同形同大の袋体を、該袋体の両サイドを前記第２ポケットに挟み込むことにより、前記パット本体に着脱可能にしたことを特徴とする敷パット。
【請求項２】
前記第１ポケットと略同形同大の袋体を、両サイドが前記第２ポケットに挟み込まれた状態で備えることを特徴とする請求項１に記載の敷パット。
【請求項３】
前記袋体の中に蓄熱材又は蓄冷材を封入したことを特徴とする請求項１又は請求項２に記載の敷パット。
【発明の詳細な説明】
【技術分野】
【０００１】
本発明は、蓄熱材（又は蓄冷材）が封入された袋体を着脱可能にした敷パットに関する。
【背景技術】
【０００２】
この種の敷パットとして、従来、図７に示す技術が知られている（例えば、特許文献１を参照。）。この敷パット１０１は、布地製パット本体１０２と、その一方の面に設けられた脱臭剤収納用ポケット１０３と、そのポケット１０３内に収納された脱臭剤１０４とから構成されている。
【０００３】
この敷パット１０１によれば、布地製パット本体１０２に脱臭剤１０４が取り付けられているので、その脱臭効果及び吸湿効果により、敷パットの爽快感を維持することができ、快適に眠ることができる。
【０００４】
また、従来、図８に示す技術が知られている（例えば、特許文献２を参照。）。この座席シート２０１は、使用温度範囲で液体又は半流動体である蓄熱剤２０２と、この蓄熱剤２０２を封入する網目状支持構造体２０３とから構成されている。
【０００５】
この座席シート２０１によれば、エンジンを停止しても、所定時間ならば、運転席を暖めた状態にしておくことができる。
【０００６】
図９は、これらの敷パット１０１の技術的思想と蓄熱剤２０２の技術的思想とを組み合わせてなる敷パット３０１を示している。
【０００７】
この敷パット３０１によれば、布地製パット本体３０２に蓄熱剤３０４が取り付けられているので、その保温効果又は保冷効果により、夏は涼しく冬は暖かく、快適に眠ることができる。
【先行技術文献】
【特許文献】
【０００８】
【特許文献１】特開２０００ー２７９２７７
【特許文献２】特開２０００ー３２５３８４
【発明の概要】
【発明が解決しようとする課題】
【０００９】
しかしながら、この敷パット３０１は、蓄熱剤３０４が蓄熱剤収納用ポケット３０３内に収納された状態で縫製されて着脱不能に取り付けられているため、丸洗いができないという問題がある。
【００１０】
また、蓄熱剤３０４は、何年かすると中身が水分の蒸発により少なくなり、劣化し、効能も悪くなるため、取り替える必要がある。しかし、敷パット３０１は、蓄熱剤３０４とパット本体３０２とが、前述の通り一体化されているため、蓄熱剤３０４を取り替える場合には、新しい敷パット３０１を購入する以外になく、不経済という問題がある。
【００１１】
さらに、敷パット３０１は、前述の通り、蓄熱剤３０４が敷き詰められて縫製されており、取り替えができない構成であるので、例えば高齢者や女性等にとっては重い場合があり、高齢者や女性等が軽いものを望んでも重量調整ができないという問題がある。
【００１２】
そこで、本発明が解決しようとする課題は、蓄熱剤等の袋体が着脱不能に取り付けられていることに起因する、丸洗いができないという問題、不経済という問題、重量調整ができないという問題を解消できる敷パットを提供することである。
【課題を解決するための手段】
【００１３】
この発明は、前記課題を解決するためになされたもので、請求項１に記載の発明は、敷パットにおいて、布地製パット本体と、前記パット本体の一方の面にマトリックス状に複数配設され、両サイドが開いた矩形状の第１ポケットと、前記第１ポケットの内側であって前記パット本体の一方の面に２個ずつ設けられた矩形状の第２ポケットとを備え、前記第２ポケットは、該第２ポケットの開口部が互いに向き合うように、前記第１ポケットの両サイドの位置に配設されており、前記第１ポケットの開口部を介して、前記第１ポケットと略同形同大の袋体を、該袋体の両サイドを前記第２ポケットに挟み込むことにより、前記パット本体に着脱可能にしたことを特徴としている。
【００１４】
請求項１に記載の発明によれば、前記第１ポケットの両サイドを開いているので、前記袋体を前記第１ポケットに収納できるとともに、前記第１ポケットの内側に前記第２ポケットを設け、該第２ポケットが前記袋体の両サイドを挟み込む構成となっているため、前記袋体が、前記第１ポケット外に飛び出すことなく、前記第１ポケットを介して、必要に応じて着脱できる。
【００１５】
また、請求項１に記載の発明によれば、前記第１ポケットの両サイドに開口部を設けているので、前記第２ポケットに前記袋体を取り付ける際、或いは、前記第２ポケットから前記袋体を取り外す際に、どちらの方向からも行うことができる。したがって、前記第２ポケットを介して行う前記袋体の取り付け又は取り外し作業がし易いという利点がある。
【００１６】
また、請求項１に記載の発明によれば、例えば、前記袋体の中身に主成分が水であるジェルを用いることで、ユーザーは、ウォーターベッドのような感覚で使用できる。
【００１７】
また、請求項１に記載の発明によれば、例えば、前記袋体の中身に脱臭材を用いることで、ユーザーは、その脱臭効果及び吸湿効果により、敷パットの爽快感を維持することができる。
【００１８】
また、請求項１に記載の発明によれば、前記袋体が着脱可能であるため、丸洗いができないという問題、不経済という問題、重量調整ができないという問題が解消する。
【００１９】
請求項２に記載の発明は、請求項１において、前記第１ポケットと略同形同大の袋体を、両サイドが前記第２ポケットに挟み込まれた状態で備えることを特徴としている。
【００２０】
請求項２に記載の発明によれば、請求項１の作用に加えて、前記袋体を装着済みであるので、ユーザーは、前記袋体の交換時期まで別途に前記袋体を購入しなくて済む。
【００２１】
請求項３に記載の発明は、請求項１又は請求項２において、前記袋体の中に蓄熱材又は蓄冷材を封入したことを特徴としている。
【００２２】
請求項３に記載の発明によれば、請求項１又は請求項２の作用に加えて、前記袋体の中身を蓄熱材又は蓄冷材としたので、冬は蓄熱材、夏は蓄冷材というように季節に応じて、前記袋体を交換することができる。したがって、ユーザーは、経済的に、その保温効果又は保冷効果により、夏は涼しく冬は暖かく、快適に眠ることができる。
【発明の効果】
【００２３】
本発明によれば、蓄熱剤等の袋体を着脱可能にしたことにより、パット本体と袋体とを分離でき、袋体が劣化してもパット本体は長期間にわたり使用でき、所望の袋体を必要な量だけ取り付けることができるので、例えば、丸洗いができ、経済的であって、重量調整も可能な敷パットを提供することができる。
【００２４】
また、本発明によれば、袋体の中身を蓄熱材又は蓄冷材とした場合には、冬は蓄熱材、夏は蓄冷材というように季節に応じて、袋体を交換することができ、ユーザーは、経済的に、その保温効果又は保冷効果により、夏は涼しく冬は暖かく、快適に眠ることができる。それ以外の季節には、例えば、袋体の中身に水又は主成分が水であるジェルを用いることで、ユーザーは、ウォーターベッドのような感覚で本発明に係る敷パットを使用することもできる。
【図面の簡単な説明】
【００２５】
【図１】本発明に係る敷パットの一実施形態を示す模式図であって、（Ａ）平面図、（Ｂ）底面図、（Ｃ）断面図である。
【図２】本発明に係る敷パットの他の実施形態を示す模式図であって、（Ａ）平面図、（Ｂ）底面図である。
【図３】本発明に係る敷パットの一実施形態を模式的に示すＡ−Ａ’断面図である。
【図４】本発明に係る敷パットの一実施形態であって、（Ａ）袋体を装着し始めの状態、（Ｂ）袋体のサイドの一方が内側のポケットに装着された状態、（Ｃ）袋体の装着が完了した状態を模式的に示すＡ−Ａ’断面図である。
【図５】（Ａ）本発明に係る敷パットを枕パットに適用した実施形態を模式的に示す平面図、（Ｂ）実際に枕パットとして用いた使用例を示す模式図である。
【図６】本発明に係る敷パットの製造工程を示すフローチャートである。
【図７】第１従来例であって、脱臭剤がパット本体に着脱不能に取り付けられた敷パットを示す模式図である。
【図８】第２従来例であって、蓄熱剤が取り付けられた座席シートを示す模式図である。
【図９】第１従来例と第２従来例とを組み合わせてなる実施例であって、蓄熱剤がパット本体に着脱不能に取り付けられた敷パットを示す模式図である。
【発明を実施するための形態】
【００２６】
以下、本発明を適用した具体的な実施の形態について、図面を参照しながら詳細に説明する。本発明は、例えば図１又は図２に示すような構成の敷パット１に適用される。
【００２７】
１．敷パット１の構成
先ず、図１又は図２を参照して、敷パット１の構成の概略について説明する。図１は、第１ポケット１２を行と列（以下、マトリックス状という。）とに規則正しく隙間なく配設した実施例１を示し、図２は、図の列方向に間隙１６を設けて第１ポケット１２をマトリックス状に規則正しく配設した実施例２を示している。
【００２８】
この敷パット１は、図１又は図２に示すように、布地製パット本体１１と、パット本体１１の一方の面にマトリックス状に複数配設され、両サイドが開いた矩形状の第１ポケット１２と、第１ポケット１２の内側であってパット本体１１の一方の面に２個ずつ設けられた矩形状の第２ポケット１４とを主要部として備えている。
【００２９】
また、この敷パット１において、第２ポケット１４は、第２ポケット１４の開口部１５が互いに向き合うように、第１ポケット１２の両サイドの位置に配設されており、第１ポケット１２の開口部１３を介して、第１ポケット１２と略同形同大の袋体３１を、袋体３１の両サイドを第２ポケット１４に挟み込むことにより、パット本体１１に着脱可能にしている。
【００３０】
ここで、実施例１と実施例２との違いであるが、実施例２のように（図２を参照。）、列方向に間隙１６を設けて第１ポケット１２を配設した場合、敷パット１の単位面積あたりの重量を軽くすることができる。なお、列方向の間隙１６の巾は、例えば２．５ｃｍ程度とする。
【００３１】
パット本体１１は、肌にサラリとした感触を与える綿１００％の生地が使用されている。実施例１のサイズは、例えば９０×５０ｃｍ（行×列）程度であり、実施例２のサイズは、例えば９０×１００ｃｍ（行×列）程度である。
【００３２】
第１ポケット１２は、図１又は図２に示すように、矩形状をしており、行方向の両サイドに開口部１３が設けられている。第１ポケット１２は、ポリエステルからなるダブルラッセル（三次元構造立体編物）が使用されている。この素材は通気性に優れるため、敷布団と接触しても生地部分にカビが生えにくく衛生的である。
【００３３】
第１ポケット１２は、列方向にはパット本体１１よりも若干小さめで、行方向にはパット本体１１の３等分よりも若干小さめにしたサイズのダブルラッセル（以下、ダブルラッセル列２１という。）が間隔を開けて行方向に縫い合わされてなる。
【００３４】
実施例１の敷パット１は、ダブルラッセル列２１の列方向の両サイドが縫い合わされ、その間に等間隔で３本縫い合わされて、行方向に開口部１３を有する４つの第１ポケット１２が形成されている。ここで、第１ポケット１２の列方向の巾は、１２．５ｃｍ程度である。
【００３５】
実施例１の敷パット１は、このダブルラッセル列２１が行方向に間隙１７（例えば２ｃｍ程度）を設けて３列縫い合わされており、３×４で合計１２個の第１ポケット１２が設けられている。
【００３６】
実施例２の敷パット１は、ダブルラッセル列２１の列方向の両サイドが縫い合わされ、その間に第１ポケット１２と間隙１６とが交互に繰り返されるように１０本縫い合わされて、行方向に開口部１３を有する６つの第１ポケット１２が形成され、列方向の隣り合う第１ポケット１２の間に２．５ｃｍ程度の間隙１６が設けられている。ここで、第１ポケット１２の列方向の巾は、１２．５ｃｍ程度である。
【００３７】
実施例２の敷パット１は、このダブルラッセル列２１が行方向に間隙１７（例えば２ｃｍ程度）を設けて３列縫い合わされており、３×６で合計１８個の第１ポケット１２が設けられている。
【００３８】
第２ポケット１４は、図１又は図２に示すように、矩形状をしており、第１ポケット１２の内側であってパット本体１１の一方の面に２個ずつ設けられ、開口部１５が互いに向き合うように、第１ポケット１２の両サイドの位置に配設されている。第２ポケット１４も、第１ポケット１２と同様のダブルラッセルが使用されている。
【００３９】
第２ポケット１４は、列方向にはパット本体１１よりも若干小さめで、行方向には１０ｃｍ程度のサイズの帯状のダブルラッセル（以下、ダブルラッセル帯２２という。）とダブルラッセル列２１との重ね合わせ方及び縫製の工夫によって形成されてなる。
【００４０】
具体的には、図３を参照して説明する。図３は、図１のＡ−Ａ’断面（列方向からの断面）を模式的に示している。先ず、ダブルラッセル列２１とダブルラッセル帯２２とはレイヤーが異なり、ダブルラッセル帯２２は、ダブルラッセル列２１とパット本体１１との間に挟み込まれている。また、ダブルラッセル帯２２は間隙１７の位置に配されており、ダブルラッセル列２１の行方向の縁部はダブルラッセル帯２２と重なり重畳部１８を形成している。
【００４１】
そして、第２ポケット１４は、重畳部１８を形成していないダブルラッセル帯２２の中心線に沿って、ダブルラッセル帯２２とパット本体１１とが縫い合わされ、さらに、ダブルラッセル帯２２が、ダブルラッセル列２１とパット本体１１との間に挟み込まれた状態で、前述の第１ポケット１２を形成するための縫製がされてなる。
【００４２】
また、図３に示すように、第１ポケット１２及び第２ポケット１４は、縁部が折り返して形成される２枚折の部分が列方向に縫い合わされている。この２枚折縫製によって、開口部１３及び１５は、補強されるとともに、袋体３１の着脱がしやすくなっている。
【００４３】
袋体３１は、中身が脱臭材であれば、通気性の良い素材を選択し、中身が液体又は半流体物（ジェル体）であれば、その構成成分が透過したり、逆に、外部の酸素や紫外線が侵入してその構成成分を変質させない、ガス非透過性及び光遮断性を備えたものが望ましい。
【００４４】
実施例１及び実施例２においては、袋体３１の中に蓄熱材３２又は蓄冷材３３が封入されている。蓄熱材３２としては、使用温度範囲で、液体又は半流動体（ジェル）のものであり、水でもよいが、比熱が水より大きいものが、蓄熱能が大きいので望ましい。例えば、特許第２８０８０９０号公報に記載されている洗浄剤組成物を使用できる。
【００４５】
図４（Ｃ）は、袋体３１を敷パット１に装着した状態を示す模式図である。袋体３１は、図４（Ｃ）に示すように、両サイドが第２ポケット１４に収納されるのでしっかりと固定され、人為的に取り外さない限り、飛び出さないようになっている。
【００４６】
ここで、本発明は、図５に示すような構成の敷パット１にも適用される。図５（Ａ）は、本発明を枕の上に敷く枕パットとして適用した実施例３を示している。図５（Ｂ）は、実際に敷パット１を枕パットとして枕に使用した使用例を示している。図５（Ａ）に示すように、実施例３の敷パット１は、枕のサイズに合うようにサイズが縮小されており、裏面には枕に着脱するための枕固定用ゴム２４が縫製されている。
【００４７】
２．敷パット１の製造方法
続いて、図６を参照して、敷パット１の製造方法について説明する。図６は、敷パット１の製造工程を示すフローチャートである。
【００４８】
敷パット１は、図６に示すように、裏生地裁断工程（ステップＳＴ１）、部品加工工程（ステップＳＴ２）、仮止め工程（ステップＳＴ３）、多針キルティング加工工程（ステップＳＴ４）、バイアス補強工程（ステップＳＴ５）、袋体装着工程（ステップＳＴ６）が実行されて製造される。以下、敷パット１の製造方法を工程毎に説明する。
【００４９】
ステップＳＴ１では、裏生地となるダブルラッセル生地をダブルラッセル列２１やダブルラッセル帯２２の態様となるように裁断する。この工程では、パーツを縫い合わせたときに縫い目部分や各パーツ部分の間隔が均等になるように裁断の正確性が求められている。
【００５０】
ステップＳＴ２では、開口部１３や開口部１５となる部分の２枚折縫製を行う。この２枚折縫製によって、開口部１３及び１５は、補強されるとともに、袋体３１の着脱がしやすくなっている。
【００５１】
ステップＳＴ３では、ステップＳＴ２において加工された、ダブルラッセル列２１及びダブルラッセル帯２２を前述の構成となるように重ね合わせ、仮止め縫製を行う。
【００５２】
ステップＳＴ４では、表生地となる綿１００％の生地とステップＳＴ３で仮止め縫製を行った裏生地とを合わせて、多針キルティング加工によってキルティングと同時に所定のサイズに裁断する。
【００５３】
ステップＳＴ５では、ステップＳＴ４において裁断された４辺を４重にバイアス補強して敷パット１を完成させる。
【００５４】
ステップＳＴ６では、蓄熱材（又は蓄冷材）３２が封入された袋体３１をステップＳＴ５において完成した敷パット１に装着する。
【００５５】
３．敷パット１の使用方法
図４を参照して、敷パット１へ袋体３１を取り付ける方法について説明する。先ず、図４（Ａ）に示すように、袋体３１を、第１ポケット１２の一方の開口部１３から第１ポケット１２の内側へ挿入する。この際、第１ポケット１２の他方の開口部１３から袋体３１を手で引っ張ると挿入しやすい。
【００５６】
そして、図４（Ｂ），（Ｃ）に示すように、第１ポケット１２の内側において、第２ポケット１４に袋体３１の両サイドを挿入する。第２ポケット１４に袋体３１を挿入しにくい場合、第１ポケット１２の一方の開口部１３から或いは両方の開口部１３から、第１ポケット１２の内側に手を入れて、袋体３１のサイドを第２ポケット１４に手で挿入してもよい。
【００５７】
続いて、敷パット１から袋体３１を取り外す方法について説明する。先ず、第１ポケット１２の一方の開口部１３から、第１ポケット１２の内側に手を入れて、袋体３１のサイドを第２ポケット１４から取り出す。そして、袋体３１のサイドをそのまま開口部１３から引っ張り出すことで、敷パット１から袋体３１を取り外すことができる。
【００５８】
敷パット１は、通常、寝具やソファー等の上に敷いて使用する。また、フロアクッションとしても使用できる。例えば、蒸し暑い夏であれば、蓄冷材３３を封入した袋体３１を装着した敷パット１を寝具やソファー等の上に敷いて寝るだけで、蓄冷材３３が体温を効率的に奪い、涼しさを体感できる。この際、蓄冷材３３を封入した袋体３１を予め冷蔵庫等で冷やしておき、寝る前に、敷パット１に必要な分だけ装着して使用することもできる。
【００５９】
また、例えば、寒い冬であれば、蓄熱材３２を封入した袋体３１を装着した敷パット１を寝具やソファー等の上に敷いて寝るだけで、蓄熱材３２の保温効果により暖かさを体感できる。この際、蓄熱材３２を封入した袋体３１を予めコタツ等で暖めておき、寝る前に、敷パット１に必要な分だけ装着して使用することもできる。
【００６０】
さらに、敷パット１を敷いたまま、被介護者を横や前に起こして空いたところに袋体３１を着脱するという使用の仕方もできる。また、敷パット１は、行及び列方向の縫合線２３に沿って折り畳むことができるので、被介護者が寝ている状態の狭いスペースにおいても、敷きやすく、取り外しやすいという利点があり、特に、（老人）介護の場面に有用である。
【００６１】
なお、本発明は前述した実施の形態のみに限定されるものではなく、本発明の要旨を逸脱しない範囲において種々の変更が可能であることは勿論である。特に、本発明は、前述の通り、袋体３１の中身を替えることにより種々の用途（例えば脱臭，保冷，保温）に使用できることにとどまらず、敷パット１のサイズを変更することで、例えば図５（Ｂ）に示すように、枕の上に敷いて使用する実施の形態（枕パット）にも適用できる。
【符号の説明】
【００６２】
１  敷パット，  １１  パット本体，  １２  第１ポケット，  １３  開口部，  １４  第２ポケット，  １５  開口部，  １６  間隙，  １７  間隙，  １８  重畳部，  １９  ４重縫合部，  ２１  ダブルラッセル列，  ２２  ダブルラッセル帯，  ２３  縫合線，  ２４  枕固定用ゴム，  ２５  枕，  ３１  袋体，  ３２  蓄熱材，  ３３  蓄冷材，  １０１  敷パット，  １０２  パット本体，  １０３  脱臭剤収納用ポケット，  １０４  脱臭剤，  ２０１  座席シート，  ２０２  蓄熱剤，  ２０３  網目状支持構造体，  ２０４  蓄熱シート，  ３０１  敷パット，  ３０２  布地製パット本体，  ３０３  蓄熱剤収納用ポケット，  ３０４  蓄熱剤
【図１】
2010207325.tif 000003
【図２】
2010207325.tif 000004
【図３】
2010207325.tif 000005
【図４】
2010207325.tif 000006
【図５】
2010207325.tif 000007
【図６】
2010207325.tif 000008
【図７】
2010207325.tif 000009
【図８】
2010207325.tif 000010
【図９】
2010207325.tif 000011